(57)【要約】【課題】利用者が所有する物品を他の利用者に販売する動機づけを与えること。【解決手段】本願に係る情報管理装置は、利用者が所持する物品の情報を受付けると、受付けた情報を所定のデータベースに登録する登録部と、前記データベースに登録された情報を、他の利用者に対して公開する公開部と、参加者を前記他の利用者のうち興味を有する旨の通知を送信した通知利用者と前記利用者とに限定して前記物品の売買を実現する手段を提供する提供部とを有することを特徴とする。【選択図】図１
2018125027.tif 000002
【特許請求の範囲】
【請求項１】
利用者が所持する物品の情報を受付けると、受付けた情報を所定のデータベースに登録する登録部と、
前記データベースに登録された情報を、他の利用者に対して公開する公開部と、
参加者を前記他の利用者のうち興味を有する旨の通知を送信した通知利用者と前記利用者とに限定して前記物品の売買を実現する手段を提供する提供部と
を有することを特徴とする情報管理装置。
【請求項２】
前記提供部は、前記物品の売買が成立しない場合に、前記利用者と任意の前記他の利用者との間で前記物品の売買を実現する手段を提供する
ことを特徴とする請求項１に記載の情報管理装置。
【請求項３】
前記公開部は、前記データベースに登録された物品の情報のうち、前記利用者から指定を受付けた物品の情報を公開する
ことを特徴とする請求項１または２に記載の情報管理装置。
【請求項４】
前記情報が公開された物品に対し、前記興味を有する旨の通知を前記他の利用者から受付けられた場合には、当該物品に対して興味を有する旨の通知を受付けた旨を前記利用者に通知する通知部
を有することを特徴とする請求項１〜３のうちいずれか１つに記載の情報管理装置。
【請求項５】
前記公開部は、前記他の利用者から前記興味を有する旨の通知を受付けた物品の販売を前記利用者が許可した場合には、当該物品の情報を、販売可能な物品の情報として公開する
ことを特徴とする請求項４に記載の情報管理装置。
【請求項６】
前記提供部は、前記利用者によって販売が許可された物品に対し前記興味を有する旨の通知を送信した前記他の利用者の中から、取引を行う候補となる対象者の選択を前記利用者から受付けし、前記利用者と選択された対象者との間で前記物品の取引手段を提供する
ことを特徴とする請求項５に記載の情報管理装置。
【請求項７】
前記提供部は、参加者を前記他の利用者のうち前記興味を有する旨の通知として前記物品の販売を要求する販売要求を送信した通知利用者と前記利用者とに限定して前記物品の売買を実現する手段を提供する
ことを特徴とする請求項１〜６のうちいずれか１つに記載の情報管理装置。
【請求項８】
前記公開部は、前記情報が公開された物品が取引の対象とされた場合には、当該物品の情報を、取引の対象とされた物品の情報として、前記他の利用者から当該物品に関連する連絡を受付けできない状態で公開する
ことを特徴とする請求項１〜７のうちいずれか１つに記載の情報管理装置。
【請求項９】
前記データベースに情報が登録された物品の売買が成立した場合には、当該物品の情報を前記データベースから削除する削除部
を有することを特徴とする請求項１〜８のうちいずれか１つに記載の情報管理装置。
【請求項１０】
前記データベースに情報が登録された物品の価値を示す情報を前記利用者に提供する価値情報提供部
を有することを特徴とする請求項１〜９のうちいずれか１つに記載の情報管理装置。
【請求項１１】
他の利用者が所望する物品の情報を受付けた場合には、前記利用者が所有する物品の情報のうち、公開されている物品の情報とのマッチング結果を提供する物品情報提供部
を有することを特徴とする請求項１〜１０のうちいずれか１つに記載の情報管理装置。
【請求項１２】
前記データベースに登録された物品の情報に基づいて、前記利用者に対して提供される情報を選択する選択部
を有することを特徴とする請求項１〜１１のうちいずれか１つに記載の情報管理装置。
【請求項１３】
前記選択部は、前記データベースに登録された物品の情報と、当該物品の情報のうち前記公開部により公開された物品の情報とに基づいて、前記利用者に対して提供される情報を選択する
ことを特徴とする請求項１２に記載の情報管理装置。
【請求項１４】
情報管理装置が実行する情報管理方法であって、
利用者が所持する物品の情報を受付けると、受付けた情報を所定のデータベースに登録する登録工程と、
前記データベースに登録された情報を、他の利用者に対して公開する公開工程と、
参加者を前記他の利用者のうち興味を有する旨の通知を送信した通知利用者と前記利用者とに限定して前記物品の売買を実現する手段を提供する提供工程と
を含むことを特徴とする情報管理方法。
【請求項１５】
利用者が所持する物品の情報を受付けると、受付けた情報を所定のデータベースに登録する登録手順と、
前記データベースに登録された情報を、他の利用者に対して公開する公開手順と、
参加者を前記他の利用者のうち興味を有する旨の通知を送信した通知利用者と前記利用者とに限定して前記物品の売買を実現する手段を提供する提供手順と
をコンピュータに実行させるための情報管理プログラム。
【請求項１６】
利用者が所有する物品の情報を管理する情報管理装置と、前記利用者が使用する端末装置とを有する情報管理システムであって、
前記利用者が所持する物品の情報を受付けると、受付けた情報を所定のデータベースに登録する登録部と、
前記データベースに登録された情報を、他の利用者に対して公開する公開部と、
参加者を前記他の利用者のうち興味を有する旨の通知を送信した通知利用者と前記利用者とに限定して前記物品の売買を実現する手段を提供する提供部と
を有することを特徴とする情報管理システム。
【発明の詳細な説明】
【技術分野】
【０００１】
本発明は、情報管理装置、情報管理方法、情報管理プログラムおよび情報管理システムに関する。
【背景技術】
【０００２】
従来、インターネットの飛躍的な普及に伴い、ウェブサイト上で物品の売買が個人間で広く行われている。このような個人間の売買を行う技術として、オークションを利用可能な利用者が所持している物品の売買を、個人間で行うためのオークションシステムが知られている。
【先行技術文献】
【特許文献】
【０００３】
【特許文献１】特許５１５６４６５号公報
【発明の概要】
【発明が解決しようとする課題】
【０００４】
しかしながら、上述した技術では、利用者が所有する物品を他の利用者に販売する動機づけを与えることができない。
【０００５】
例えば、上述した技術では、利用者が所有する物品の中に不要な物品があったとしても、その物品に対して他の利用者が興味を有しているかを判別することができないため、売買対象とせずにそのまま破棄してしまい、物品のリユースによる資源の有効活用の機会が失われてしまう。
【０００６】
本願は、上記に鑑みてなされたものであって、利用者が所有する物品を他の利用者に販売する動機づけを与える情報管理装置、情報管理方法、情報管理プログラムおよび情報管理システムを提供することを目的とする。
【課題を解決するための手段】
【０００７】
本願に係る情報管理装置は、利用者が所持する物品の情報を受付けると、受付けた情報を所定のデータベースに登録する登録部と、前記データベースに登録された情報を、他の利用者に対して公開する公開部と、参加者を前記他の利用者のうち興味を有する旨の通知を送信した通知利用者と前記利用者とに限定して前記物品の売買を実現する手段を提供する提供部とを有することを特徴とする。
【発明の効果】
【０００８】
実施形態の一態様によれば、利用者が所有する物品を他の利用者に販売する動機づけを与えることができるという効果を奏する。
【図面の簡単な説明】
【０００９】
【図１】図１は、実施形態に係る情報管理装置が実行する処理の一例を示す図である。
【図２】図２は、実施形態に係る端末装置が有する機能構成の一例を示す図である。
【図３】図３は、実施形態に係る情報管理装置が有する機能構成の一例を示す図である。
【図４】図４は、実施形態に係る物品情報データベースに登録される情報の一例を示す図である。
【図５】図５は、実施形態に係る所望物品データベースに登録される情報の一例を示す図である。
【図６】図６は、実施形態に係る処理の流れの一例を示すシーケンス図である。
【図７】図７は、実施形態に係る情報管理装置が物品情報を登録する処理の流れの一例を示すフローチャートである。
【図８】図８は、実施形態に係る情報管理装置が物品情報を公開する処理の流れの一例を示すフローチャートである。
【図９】図９は、実施形態に係る情報管理装置がリクエストを受信した際に実行する処理の流れの一例を示すフローチャートである。
【図１０】図１０は、物品が出品された際に実施形態に係る情報管理装置が実行する処理の流れの一例を示すフローチャートである。
【図１１】図１１は、実施形態に係る端末装置が表示するリスト表示画面および出品画面の一例を説明する図である。
【図１２】図１２は、実施形態に係る端末装置が表示する閲覧画面の一例を示す図である。
【図１３】図１３は、実施形態に係る情報管理装置が物品の出品を受付ける処理の一例を示すシーケンス図である。
【図１４】図１４は、ハードウェア構成の一例を示す図である。
【発明を実施するための形態】
【００１０】
以下に、本願に係る情報管理装置、情報管理方法、情報管理プログラムおよび情報管理システムを実施するための形態（以下、「実施形態」と呼ぶ。）について図面を参照しつつ詳細に説明する。なお、この実施形態により本願に係る情報管理装置、情報管理方法、情報管理プログラムおよび情報管理システムが限定されるものではない。また、以下の各実施形態において同一の部位には同一の符号を付し、重複する説明は省略される。
【００１１】
〔１．情報管理装置〕
まず、図１を用いて、情報管理装置が実行する処理の一例について説明する。図１は、実施形態に係る情報管理装置が実行する処理の一例を示す図である。なお、図１に示す例では、情報管理装置の一例として、利用者が所有する物品の管理を行う情報管理装置１００が実行する情報管理処理の一例について記載した。
【００１２】
例えば、図１に示す例では、情報管理装置１００は、端末装置１０ａや端末装置１０ｂとの間で、インターネット等の所定のネットワークＮを介して相互に通信可能に接続されている。そして、情報管理装置１００は、端末装置１０ａおよび端末装置１０ｂと相互に情報を通信することで、以下に説明する情報管理処理を実現する。
【００１３】
端末装置１０ａは、第１利用者Ｕ０１が使用する端末装置であり、例えば、スマートフォンやタブレット端末やＰＤＡ（Personal  Digital  Assistant）等の移動端末や、デスクトップ型ＰＣ（Personal  Computer）や、ノート型ＰＣ等により実現される。また、端末装置１０ｂは、第２利用者Ｕ０２が使用する端末装置であり、スマートフォンやタブレット端末やＰＤＡ等の移動端末や、デスクトップ型ＰＣや、ノート型ＰＣ等により実現される。
【００１４】
ここで、端末装置１０ａ、１０ｂは、３Ｇ（Generation）や４Ｇの移動通信網、ＬＡＮ（Local  Area  Network）、インターネット等の所定のネットワークを介して、情報管理装置１００と相互に通信可能である。また、端末装置１０ａ、１０ｂは、メッセージの送受信を実現する所定のアプリケーションを用いて、直接連絡を取り合うことも可能である。
【００１５】
なお、以下の説明では、端末装置１０ａ、１０ｂを端末装置１０と総称する場合がある。また、以下の説明では、第１利用者Ｕ０１および第２利用者Ｕ０２を利用者と総称する場合がある。また、以下の説明では、情報管理装置１００は、第１利用者Ｕ０１が所有する物品の管理を行う情報管理処理を実行するが、実施形態は、これに限定されるものではない。すなわち、情報管理装置１００は、第２利用者Ｕ０２等、任意の数の利用者が所有する物品の管理を行ってもよい。また、情報管理装置１００は、各利用者が使用する任意の数の端末装置１０と通信可能であるものとする。
【００１６】
情報管理装置１００は、第１利用者Ｕ０１が所有する物品の管理を行う情報処理装置であり、例えば、ウェブサーバ等のサーバ装置やクラウドシステム等により実現される。なお、情報管理装置１００は、単体の情報処理装置により実現されてもよく、複数台の情報処理装置が協調して動作することで実現されてもよい。
【００１７】
以下、情報管理装置１００が物品の管理を行う処理の一例について説明する。例えば、第１利用者Ｕ０１は、端末装置１０ａを用いて、所有する物品の外観、バーコード、ＪＡＮコード等の写真を撮像する。このような場合、情報管理装置１００は、撮像された写真の画像解析を行い、撮像された物品の商品名や型番等を特定する。また、情報管理装置１００は、ウェブ検索の技術等を用いて、特定した物品の価格、種別、ブランド、メーカー、寸法、重さ等、物品に関する各種の情報等を特定する。
【００１８】
そして、情報管理装置１００は、特定した物品に関する情報と、撮像された写真とを、物品の示す物品情報として所定のデータベースに登録する。この結果、第１利用者Ｕ０１は、データベースに登録された物品情報を閲覧することで、自身が所有する物品の確認を行うことができる。
【００１９】
〔１−１．情報管理装置が実行する処理〕
ここで、従来技術では、利用者が所有する物品をオークション等に出品する際に、物品の登録を行う手間がかかる。また、従来技術では、例えば、第１利用者Ｕ０１がある物品を不要であると考えた際に、他の利用者がその物品を所望しているか否か、どれくらいの利用者が所望しているかといった情報を得られないため、オークションへの出品や、物品買取業者等への売却を行わずに破棄してしまう場合がある。このように、従来技術では、不要な物品を利用者に売却させ、リユースにつなげるための動機づけが不十分であった。
【００２０】
そこで、情報管理装置１００は、以下の情報管理処理を実行する。まず、情報管理装置１００は、利用者が所有する物品の管理を行うため、利用者が所有する物品の情報を受付けると、受付けた情報を所定のデータベースに登録する。また、情報管理装置１００は、データベースに登録された情報のうち、他の利用者からの販売要求を受付け可能とする旨の指定を利用者から受付ける。そして、情報管理装置１００は、利用者により指定を受付けた場合には、物品の情報を他の利用者に対して公開する。
【００２１】
例えば、情報管理装置１００は、第１利用者Ｕ０１が所有する物品の物品情報を管理する。そして、例えば、情報管理装置１００は、第１利用者Ｕ０１から物品情報の公開を指定された場合は、第１利用者Ｕ０１が有する物品の物品情報を第２利用者Ｕ０２に対して公開する。また、例えば、情報管理装置１００は、第１利用者Ｕ０１から物品情報を公開する物品、すなわち、第１利用者Ｕ０１が不要だと考える物品の指定を受付けた場合には、その物品の物品情報を第２利用者Ｕ０２に公開するとともに、第２利用者Ｕ０２からその物品の販売要求（以下、リクエストと記載する。）を受付け可能とする。すなわち、情報管理装置１００は、利用者単位（所有者単位）、または、物品単位等、任意の単位で、物品情報を公開するか否かの指定を受付け、物品情報を公開することができる。
【００２２】
〔１−２．情報管理処理の一例について〕
以下、図１を用いて、情報管理処理の一例について説明する。なお、以下の説明では、第１利用者Ｕ０１が所有する物品の管理を行う管理処理、第１利用者Ｕ０１が不要であると考える物品の物品情報を公開する公開処理、および物品の出品や販売を受付ける販売処理を含む情報管理処理の一例について説明する。
【００２３】
まず、端末装置１０ａは、第１利用者Ｕ０１からの操作に従って、第１利用者Ｕ０１が所有する物品の物品情報を取得する（ステップＳ１）。例えば、端末装置１０ａは、第１利用者Ｕ０１が所有するゴルフクラブ、ＰＣ、衣類等といった物品の外観やバーコード等の写真を撮像する。なお、第１利用者Ｕ０１が所有する物品は、図１に例示する物品に限定されるものではなく、オークション等といった利用者間の取引の対象となりえる物品や、物品買取業者が買い取りすることが可能な物品等であれば、任意の物品であってよい。
【００２４】
そして、端末装置１０ａは、撮像した写真を物品情報として情報管理装置１００に送信し、データベースへの登録を依頼する（ステップＳ２）。この結果、情報管理装置１００は、取得した物品情報を物品情報データベース１２１に登録する（ステップＳ３）。より具体的には、情報管理装置１００は、端末装置１０ａから受信した写真を用いて、商品名や型番等といった情報を特定し、特定した情報と写真とを物品情報として物品情報データベースに登録する。
【００２５】
例えば、図１に示す例では、物品情報データベース１２１には、「物品ＩＤ」、「物品情報」および「ステータス」といった項目を有する情報が登録される。ここで、「物品ＩＤ」とは、各利用者が有する物品に付与される識別子である。また、「物品情報」とは、物品に関する各種の情報や写真である。また、「ステータス」とは、対応付けられた物品ＩＤが示す物品の物品情報が他の利用者に公開されているか否か、オークション等に出品されているか否か等といった、物品の状態を示す情報である。
【００２６】
なお、図１に示す例では、物品ＩＤとして「物品＃Ａ」といった概念的な値を記載したが、実施形態は、これに限定されるものではなく、物品を識別するための任意の値が登録されることとなる。また、図１に示す例では、物品情報として「物品情報＃Ａ」といった概念的な値を記載したが、実施形態は、これに限定されるものではなく、物品に関する各種の情報や写真のデータ等が登録される。
【００２７】
例えば、情報管理装置１００は、物品ＩＤ「物品＃Ａ」と物品情報「物品情報＃１」と共に、物品情報が公開されていない旨を示すステータス「未公開」とを対応付けて物品情報データベース１２１に登録する。また、情報管理装置１００は、他の物品情報についても同様に、ステータス「未公開」を対応付けて物品情報データベース１２１に登録する。
【００２８】
このような物品情報を物品情報データベース１２１に登録した場合、第１利用者Ｕ０１は、物品情報データベース１２１を参照することで、第１利用者Ｕ０１が所有する物品を確認することができる。そして、第１利用者Ｕ０１は、物品情報データベース１２１に物品情報を登録した物品に、不要な物品が存在する場合には、物品情報の公開要求を情報管理装置１００に通知する（ステップＳ４）。このような公開要求を受付けた場合には、情報管理装置１００は、公開対象となる物品の物品情報のステータスを「公開」に更新する（ステップＳ５）。例えば、情報管理装置１００は、物品ＩＤ「物品＃Ｂ」および物品ＩＤ「物品＃Ｃ」が示す物品の物品情報を公開する旨の要求を受付けた場合には、図１に示すように、物品ＩＤ「物品＃Ｂ」および物品ＩＤ「物品＃Ｃ」と対応付けられたステータスを「未公開」から「公開」に更新する。
【００２９】
そして、情報管理装置１００は、公開された物品情報を他の利用者（例えば、第２利用者Ｕ０２）が使用する端末装置１０ｂへと配信する（ステップＳ６）。この結果、第２利用者Ｕ０２は、第１利用者Ｕ０１が所有する物品のうち公開対象となった物品、すなわち、第１利用者Ｕ０１が手放そうか否か考えている物品の物品情報を閲覧することができる。なお、情報管理装置１００は、公開された物品に対する当事者間での連絡手段を提供することとなる。例えば、情報管理装置１００は、公開された物品のサイズや状態、価格の交渉等を行うためのメッセージを第１利用者Ｕ０１と第２利用者Ｕ０２との間でやり取りする手段を提供する。
【００３０】
そして、第２利用者Ｕ０２は、閲覧した物品情報が示す物品を気に入り、購入を望む場合には、物品の出品や販売を第１利用者Ｕ０１に対して求めるリクエストを情報管理装置１００に送信する（ステップＳ７）。例えば、第２利用者Ｕ０２は、物品ＩＤ「物品＃Ｂ」が示す物品の販売を求めるリクエストを送信する。このような場合、情報管理装置１００は、物品ＩＤ「物品＃Ｂ」が示す物品の販売を求めるリクエストがあった旨を第１利用者Ｕ０１に対して通知する（ステップＳ８）。
【００３１】
このような通知の有無は、第１利用者Ｕ０１が手放そうと考えている物品の出品や販売の動機づけとなりうる。そこで、情報管理装置１００は、物品情報が公開された物品について、オークションへの出品や、当事者間で直接売買するといった出品態様の選択を受付ける（ステップＳ９）。なお、出品対象となる物品は、物品情報が公開されている物品であればよく、第２利用者Ｕ０２からのリクエストがあった物品に限定されない。
【００３２】
そして、情報管理装置１００は、出品態様の選択を受付けた場合には、物品情報データベース１２１に登録されたステータスを更新する（ステップＳ１０）。例えば、情報管理装置１００は、物品ＩＤ「物品＃Ｂ」が示す物品の販売態様として、当事者間で直接売買する態様が選択された場合には、物品ＩＤ「物品＃Ｂ」が示す物品のステータスをステータス「当事者売買」に更新する。また、例えば、情報管理装置１００は、物品ＩＤ「物品＃Ｃ」が示す物品の販売態様として、オークションへの出品が選択された場合には、物品ＩＤ「物品＃Ｃ」が示す物品のステータスをステータス「出品」に更新する。
【００３３】
また、情報管理装置１００は、リクエストがあった物品がオークションに出品された場合、または、当事者間で直接売買される物品とされた場合は、出品や販売が行われた旨の通知を第２利用者Ｕ０２に通知する（ステップＳ１１）。また、情報管理装置１００は、当事者間で直接売買される物品については、第１利用者Ｕ０１と第２利用者Ｕ０２に対し、当事者間で物品を直接売買するための手段を提供する（ステップＳ１２）。
【００３４】
例えば、情報管理装置１００は、当時者間で直接売買される物品に対してリクエストを行った利用者の中から、取引を行う候補の対象者の選択を、物品の所有者から受付ける。そして、情報管理装置１００は、選択された対象者と物品の所有者との間で連絡を行うための手段、すなわち、物品の売買を直接行うための手段を提供する。このような処理を実行する場合、情報管理装置１００は、物品に対してリクエストを行ったものの、取引の対象者として選択されなかった利用者に対しては、取引の対象者に選択されなかった旨を通知してもよい。また、例えば、情報管理装置１００は、直接販売される物品として選択された物品のサイズや状態、価格の交渉等を行うためのメッセージを第１利用者Ｕ０１と第２利用者Ｕ０２との間でやり取りする手段を提供する。
【００３５】
そして、端末装置１０ｂは、当事者間での直接売買が成立した場合や、オークションに出品された物品を落札した場合には（ステップＳ１３）、落札通知を情報管理装置１００に送信する（ステップＳ１４）。このような場合、情報管理装置１００は、物品の売買や落札に伴う所有者の変更に基づいて、物品情報データベース１２１の更新を行う（ステップＳ１５）。
【００３６】
例えば、情報管理装置１００は、物品ＩＤ「物品＃Ｂ」が示す物品の直接販売が成立した場合や、物品ＩＤ「物品＃Ｃ」が示す物品が落札された場合には、第１利用者Ｕ０１が所有する物品の物品情報から、物品ＩＤ「物品＃Ｂ」、「物品＃Ｃ」が示す物品の物品情報を削除する。なお、情報管理装置１００は、物品ＩＤ「物品＃Ｂ」、「物品＃Ｃ」が示す物品を第２利用者Ｕ０２が購入もしくは落札した場合には、第２利用者Ｕ０２が有する物品の物品情報として、物品ＩＤ「物品＃Ｂ」、「物品＃Ｃ」が示す物品の物品情報を物品情報データベース１２１に登録してもよい。
【００３７】
このように、情報管理装置１００は、第１利用者Ｕ０１が所有する物品の物品情報を管理する。そして、情報管理装置１００は、第１利用者Ｕ０１から公開の指定を受付けた場合には、物品情報を第２利用者Ｕ０２に公開するとともに、第２利用者Ｕ０２からその物品のリクエストを受付け可能とする。
【００３８】
このような処理の結果、第１利用者Ｕ０１は、出品または破棄を考えている物品を実際にオークション等に出品せずとも、その物品の物品情報を公開するだけで、第２利用者Ｕ０２からリクエストを受付けることができる。このように、情報管理装置１００は、物品を実際に出品せずとも、他の利用者がその物品に興味を有しているか否かを示す情報を第１利用者Ｕ０１に提供することができるので、第１利用者Ｕ０１が所有する物品を他の利用者に販売する動機づけを与えることができる。
【００３９】
〔１−３．リクエストについて〕
上述した例では、情報管理装置１００は、第１利用者Ｕ０１が公開した物品に対し、第２利用者Ｕ０２から出品や販売を要求するリクエストを受付け可能とした。しかしながら、実施形態は、これに限定されるものではない。例えば、上述したリクエストは、物品の出品や販売を第１利用者Ｕ０１に対して要求する旨の通知のみならず、「お気に入り」や「いいね」等といった物品に対して好意的な印象を有する旨の通知であってもよい。すなわち、情報管理装置１００は、第１利用者Ｕ０１が所有する物品に対して、他の利用者が興味を有している旨を示すことができるのであれば、任意の内容をリクエストとして受付けてよい。
【００４０】
また、情報管理装置１００は、リクエストの有無のみならず、リクエストを受信した回数や、リクエストを送信した利用者の数、リクエストが行われたタイミング等、リクエストに関する各種の情報を第１利用者Ｕ０１に通知してもよい。このような情報は、第１利用者Ｕ０１が物品情報を公開した物品に対し、他の利用者がどれくらい興味を有しているかという情報であり、出品や販売を行った際に売れるか否か、どれくらいの価格で売れるかといった判断の指標とすることができる。このため、情報管理装置１００は、リクエストに関する各種の情報を第１利用者Ｕ０１に通知することで、物品を販売する動機づけを与えることができる。
【００４１】
〔１−４．出品態様について〕
上述した例では、情報管理装置１００は、物品の販売態様として、当事者間での直接売買（以下、「当事者売買」と記載する。）や、オークションへの出品を選択可能とした。しかしながら、実施形態は、これに限定されるものではない。例えば、情報管理装置１００は、オークションや当事者売買以外にも、例えば、物品買取業者への買取や、出品代行業者を用いたオークションへの出品を選択可能としてもよい。
【００４２】
また、情報管理装置１００は、物品買取業者への買取が選択された場合、オークションへの出品が選択された場合、若しくは出品代行業者を用いたオークションへの出品が行われた場合には、物品の落札が行われずとも、物品情報データベース１２１から物品情報を削除してもよい。また、情報管理装置１００は、オークションに出品された物品については、リクエストの送信を行うことができない状態で、物品情報を第２利用者Ｕ０２に公開してもよい。また、情報管理装置１００は、オークションに出品された物品については、当事者間での直接売買を行えないようにしてもよく、連絡手段を提供せずともよい。
【００４３】
また、情報管理装置１００は、オークションへの出品や物品買取業者による買取のみならず、例えば、個人間で物品の取引を実現するウェブページ等への出品を受付けてもよい。また、このような取引は、有料で物品の取引を行うものに限らず、無償または物々交換の形式により実現されてもよい。また、情報管理装置１００は、不用品回収業者に物品を回収させるといった依頼を受付けてもよい。また、情報管理装置１００は、例えば、チャリティーオークションへの出品や慈善団体等に物品を寄付する等の指定を受付けてもよい。すなわち、情報管理装置１００は、物品の所有者がその物品を手放すためのサービスであれば、任意のサービスを提供してよい。
【００４４】
また、情報管理装置１００は、例えば、オークションや当事者売買等といった取引の対象とされた物品については、他の利用者からの連絡を受付けできない状態で物品情報を公開してもよい。例えば、情報管理装置１００は、取引の対象とされた物品のサイズや状態の問い合わせを行うことができない状態で、その物品の物品情報を公開してもよい。すなわち、情報管理装置１００は、任意のタイミングや期間の間、連絡手段や取引手段の提供を行うことができる。
【００４５】
また、情報管理装置１００は、販売態様の変更を受付けてもよい。例えば、情報管理装置１００は、当事者売買が選択された物品について、オークションへの出品を認めてもよい。このような販売態様の変更が可能となる場合、第１利用者Ｕ０１は、例えば、第２利用者Ｕ０２との間で直接連絡を取ったが、所望する価格で販売することができなかった場合等に、物品をオークションに出品することができる。
【００４６】
また、情報管理装置１００は、物品に対するリクエストを送信した利用者のみを対象とするオークションでの販売手段を提供してもよい。例えば、情報管理装置１００は、ある物品に対してリクエストを送信した利用者のみが、その物品に対する入札を行うことができるオークションでの販売手段を、第１利用者Ｕ０１に対して提供してもよい。また、情報管理装置１００は、リクエストを送信した利用者に対し、物品がオークションに出品された旨を通知してもよい。
【００４７】
〔１−５．物品の価値の通知〕
また、情報管理装置１００は、上述した処理以外にも、例えば、物品情報から特定可能な物品の価値に関する各種の情報を第１利用者Ｕ０１に対して提供してもよい。例えば、情報管理装置１００は、物品情報データベース１２１に登録されている物品情報のうち、ステータスが「未公開」である物品情報を特定する。また、情報管理装置１００は、特定した物品情報が示す物品と同じ物品について、オークションでの落札相場、物品買取業者での買取価格、一般的な事情における新品の価格等といった価格情報を収集する。そして、情報管理装置１００は、収集した価格情報を第１利用者Ｕ０１に対して提供する。この結果、情報管理装置１００は、第１利用者Ｕ０１に対して物品の出品を動機付けることができる。
【００４８】
〔１−６．物品情報を用いた情報提供〕
ここで、物品情報データベース１２１に登録された物品情報は、第１利用者Ｕ０１が所有する物品の情報であるため、第１利用者Ｕ０１の性別、年代、趣味趣向、居住地域等といった属性を推定する指標となりえる。そこで、情報管理装置１００は、物品データベース１２１に登録された情報を用いて、第１利用者Ｕ０１に対して提供される広告等の情報を選択してもよい。
【００４９】
例えば、情報管理装置１００は、物品情報データベース１２１に登録された物品情報に基づいて、第１利用者Ｕ０１の属性を推定する。そして、情報管理装置１００は、推定した属性を有する利用者に対して提供される広告を、第１利用者Ｕ０１に対して配信してもよい。
【００５０】
また、情報管理装置１００は、物品情報データベース１２１に登録されたステータスの値に基づいて、第１利用者Ｕ０１が所有しているが手放す気がない物品（すなわち、ステータス「未公開」の物品）、手放そうとしている物品（すなわち、ステータス「公開」の物品）、出品または当事者売買の対象とした物品等を特定することができる。そこで、情報管理装置１００は、物品情報データベース１２１に登録された物品情報と、各物品情報のうち公開されている物品情報とに基づいて、第１利用者Ｕ０１に対して提供される情報を選択してもよい。例えば、情報管理装置１００は、物品情報データベース１２１に登録された物品情報から第１利用者Ｕ０１の趣味趣向を推定し、推定した趣味趣向にあった物品を、他の利用者が公開した物品から選択し、選択した物品の物品情報を第１利用者Ｕ０１に提案してもよい。このような処理を実行することで、情報管理装置１００は、第１利用者Ｕ０１に対して提供される情報のマッチング精度を向上させることができる。
【００５１】
〔１−７．欲しいものリストを用いたマッチング〕
また、情報管理装置１００は、第１利用者Ｕ０１や第２利用者Ｕ０２が所望する物品の物品情報を管理してもよい。また、情報管理装置１００は、例えば、第１利用者Ｕ０１が所有する物品の物品情報と、第２利用者Ｕ０２が所望する物品の物品情報とのマッチングを行い、マッチング結果を第１利用者Ｕ０１や第２利用者Ｕ０２に提供してもよい。
【００５２】
例えば、情報管理装置１００は、第２利用者Ｕ０２が所望する物品の物品情報が、第１利用者Ｕ０１が所有する物品の物品情報に含まれており、かつ、その物品情報が公開されている場合には、第２利用者Ｕ０２に対し、第１利用者Ｕ０１がその物品を有している旨を通知してもよい。また、例えば、情報管理装置１００は、第２利用者Ｕ０２が所望する物品の物品情報が、第１利用者Ｕ０１が所有する物品の物品情報に含まれているが、その物品情報が公開されていない場合には、第１利用者Ｕ０１に対し、第２利用者Ｕ０２がその物品を所望している旨の情報を提供してもよい。このように、情報管理装置１００は、第２利用者Ｕ０２が所望する物品を他の利用者が所有しているか否かのみならず、その物品の物品情報が公開されているか否か（すなわち、リクエストを受付け可能な状態であるか否か）に応じて、各利用者に対して提供される情報の内容や、情報の提供先を変更してもよい。
【００５３】
〔１−８．実行主体について〕
なお、上述した情報管理処理は、情報管理装置１００が有する機能により実現されてもよく、端末装置１０が有する機能により実現されてもよい。例えば、上述した情報管理処理は、端末装置１０ａと端末装置１０ｂとが物品情報データベース１２１と同様のデータベースを有するとともに、相互に情報を送受信することにより、情報管理装置１００無しで実現されてもよい。また、上述した情報管理処理は、情報管理装置１００と端末装置１０とが協調して実現されてもよい。
【００５４】
また、例えば、端末装置１０は、上述した情報管理処理の一部または全てを実現するためのアプリケーションをあらかじめダウンロードし、任意のタイミングでアプリケーションを実行することで、上述した処理を実現してもよい。例えば、端末装置１０ａ、１０ｂは、アプリケーションを実行することで、上述した端末装置１０が発揮する処理の身ならず、情報管理装置１００として動作する機能を有してもよい。
【００５５】
また、例えば、情報管理装置１００は、上述した情報管理処理の一部またはすべてを端末装置１０に実行させるための制御情報（例えば、Ｊａｖａ  Ｓｃｒｉｐｔ（登録商標）等）を、ウェブブラウザ等を介して端末装置１０に配信することで、情報管理処理を実現してもよい。すなわち、上述した情報管理処理は、端末装置１０が実行するアプリケーションにより実現されてもよく、ウェブブラウザを介して提供されるウェブサービスとして実現されてもよい。
【００５６】
〔２．端末装置の機能構成〕
次に、図２を用いて、端末装置１０が有する機能構成の一例について説明する。図２は、実施形態に係る端末装置が有する機能構成の一例を示す図である。図２に示す例では、端末装置１０は、通信部１１、記憶部１２、カメラ１３、ＧＰＳ受信アンテナ１４、出力部１５、制御部１６を有する。
【００５７】
通信部１１は、例えば、ＮＩＣ（Network  Interface  Card）等によって実現される。通信部１１は、ネットワークＮと有線または無線で接続され、他の端末装置１０や、情報管理装置１００との間で情報の送受信を行う。
【００５８】
記憶部１２は、例えば、ＲＡＭ（Random  Access  Memory)、フラッシュメモリ（Flash  Memory）等の半導体メモリ素子、または、ハードディスク、光ディスク等の記憶装置によって実現される。カメラ１３は、画像や動画像を撮像するための撮像装置であり、例えば、ＣＣＤ（Charge-Coupled  Device）やＣＭＯＳ（Complementary  Metal  Oxide  Semiconductor）等の半導体素子を用いて撮像を行うデジタルカメラにより実現される。
【００５９】
ＧＰＳ受信アンテナ１４は、ＧＰＳ等の衛星測位システムに用いられる信号を衛星から受信するためのアンテナである。また、出力部１５は、各種の情報を出力するための画面であり、例えば、液晶ディスプレイ等により実現される。
【００６０】
制御部１６は、例えば、ＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等によって、端末装置１０内部の記憶装置（例えば、記憶部１２）に記憶されている各種プログラムがＲＡＭを作業領域として実行されることにより実現される。図２に示す例では、制御部１６は、登録受付部１７、選択受付部１８、通知受付部１９、連絡部２０、更新受付部２１および情報提供部２２を有する。
【００６１】
登録受付部１７は、物品情報の登録を受付ける。例えば、登録受付部１７は、利用者の操作に応じて、カメラ１３を起動させ、第１利用者Ｕ０１が有する物品の外観やバーコード等の撮像を行う。そして、登録受付部１７は、撮像した物品の画像を物品情報として、情報管理装置１００に送信し、情報管理装置１００が有する物品情報データベース１２１に登録させる。
【００６２】
また、登録受付部１７は、利用者が所望する物品の画像を撮像した場合は、撮像した物品の画像を利用者が所望する物品の物品情報として情報管理装置１００に送信する。なお、登録受付部１７は、例えば、利用者が所望する物品の物品情報として、電子商店街で販売されている物品の指定や、他の利用者が公開した物品情報の指定を利用者から受付けてもよい。
【００６３】
選択受付部１８は、物品情報データベース１２１に登録された情報のうち、他の利用者から興味を有する旨の通知、すなわちリクエストを受付け可能とする物品の選択を受付ける。例えば、選択受付部１８は、第１利用者Ｕ０１の操作に応じて、情報管理装置１００から第１利用者Ｕ０１が所有する物品の物品情報を取得し、出力部１５に表示させる。
【００６４】
そして、選択受付部１８は、第１利用者Ｕ０１が、表示された物品情報の中から公開対象とする物品情報を選択した場合には、選択された物品情報のステータスを「公開」にする旨の通知を情報管理装置１００に送信する。同様に、選択受付部１８は、第１利用者Ｕ０１が出品または当事者売買の対象とする物品の物品情報を選択した場合には、選択された物品情報のステータスを「出品」または「当事者売買」にする旨の通知を情報管理装置１００に送信する。
【００６５】
通知受付部１９は、物品情報が公開された物品に対するリクエストが他の利用者から受付けられた場合には、その物品に対するリクエストを受付けた旨を利用者に通知する。例えば、通知受付部１９は、第２利用者Ｕ０２がある物品に対するリクエストを送信した場合には、情報管理装置１００から、その物品に対するリクエストを受信した旨の通知を受付ける。このような場合、通知受付部１９は、リクエストを受信した旨の通知や、リクエストを受信した回数等を出力部１５に表示する。
【００６６】
連絡部２０は、情報管理装置１００が提供する連絡手段を用いて、リクエストを送信した他の利用者との間の連絡手段や、取引手段の提供を実現する。例えば、連絡部２０は、第１利用者Ｕ０１が所有する物品に対して第２利用者Ｕ０２がリクエストを行った場合には、第２利用者Ｕ０２が使用する端末装置１０との間でのメッセージの送受信を行う。
【００６７】
より具体的な例を説明する。例えば、情報管理装置１００は、ある物品のステータスが「当事者売買」に更新された場合は、その物品に対してリクエストを送信した利用者に対してのみ、その物品が当事者売買の対象となる旨を通知するとともに、物品の所有者とリクエストを送信した利用者との間での連絡手段または取引手段を提供する。この結果、連絡部２０は、例えば、端末装置１０を使用する利用者と、この利用者が所有する物品に対してリクエストを送信した利用者との間での連絡を実現する。また、連絡部２０は、例えば、端末装置１０を使用する利用者と、この利用者がリクエストを送信した物品の所有者との間の連絡を実現してもよい。また、連絡部２０は、例えば、端末装置１０を使用する利用者と、この利用者が物品情報を公開した物品に対してリクエストを送信した利用者、または、このような利用者のうち、端末装置１０を使用する利用者が選択した利用者との間の連絡や取引を実現する手段を提供してもよい。また、連絡部２０は、取引の対象となった物品に関しては、興味を有する旨の通知のみを可能とし、メッセージのやり取りなどは行えないようにしてもよい。
【００６８】
更新受付部２１は、当事者売買より物品の売買が成立した場合には、その物品の物品情報の削除や移動などといった更新を行うよう、情報提供装置１００に要求する。例えば、更新受付部２１は、連絡部２０が提供する機能により、第１利用者Ｕ０１と第２利用者Ｕ０２が連絡を取り合い、第１利用者Ｕ０１が所有する物品の売買が成立した場合には、売買が成立した物品の物品ＩＤと、物品の売買が成立した旨を情報管理装置１００に送信する。
【００６９】
情報提供部２２は、物品に関する各種の情報を利用者に提供する。例えば、情報提供部２２は、情報管理装置１００から、第１利用者Ｕ０１が所有する物品の価格情報を取得する。そして、情報提供部２２は、取得した価格情報を出力部１５に表示することで、物品の出品や当事者売買への動機づけを与えることができる。なお、情報提供部２２は、情報管理装置１００から配信される各種の情報についても、出力部１５に表示する機能を有するものとする。
【００７０】
〔３．情報管理装置の機能構成〕
次に、図３を用いて、情報管理装置１００が有する機能構成の一例について説明する。図３は、実施形態に係る情報管理装置が有する機能構成の一例を示す図である。図３に示す例では、情報管理装置１００は、通信部１１０、記憶部１２０および制御部１３０を有する。
【００７１】
通信部１１０は、例えば、ＮＩＣ等によって実現される。通信部１１０は、ネットワークＮと有線または無線で接続され、端末装置１０の間で情報の送受信を行う。
【００７２】
記憶部１２０は、例えば、ＲＡＭやフラッシュメモリ等の半導体メモリ素子、または、ハードディスク、光ディスク等の記憶装置によって実現される。また、図３に示す例では、記憶部１２０は、物品情報データベース１２１、所望物品データベース１２２および広告データベース１２３を記憶する。
【００７３】
物品情報データベース１２１には、利用者が所有する物品の物品情報が登録される。例えば、図４は、実施形態に係る物品情報データベースに登録される情報の一例を示す図である。図４に示すように、物品情報データベース１２１には、「物品ＩＤ」、「物品情報」および「ステータス」といった項目に加えて、「利用者ＩＤ」および「リクエスト」といった項目を含む物品情報が利用者ごとに登録されている。
【００７４】
ここで、「利用者ＩＤ」とは、利用者を識別するための識別子である。また、「リクエスト」とは、対応付けられた物品情報が示す物品に対するリクエストが行われた回数を示す。例えば、図４に示す例では、利用者ＩＤ「利用者＃１」、物品ＩＤ「物品＃Ａ」、物品情報「物品情報＃Ａ」、ステータス「未公開」、リクエスト「０」が対応付けられた物品情報が登録されている。このような物品情報は、利用者ＩＤ「利用者＃１」が示す利用者が所有する物品に対し、物品ＩＤ「物品＃Ａ」が付与されており、その物品の物品情報が物品情報「物品情報＃Ａ」である旨を示す。また、このような物品情報は、物品ＩＤ「物品＃Ａ」が示す物品の物品情報が「未公開」であり、リクエストが行われた回数が「０」回である旨を示す。
【００７５】
所望物品データベース１２２には、利用者が所望する物品の物品情報が登録される。例えば、図５は、実施形態に係る所望物品データベースに登録される情報の一例を示す図である。図５に示す例では、所望物品データベース１２２には、「利用者ＩＤ」、「物品ＩＤ」および「物品情報」が対応付けて登録されている。
【００７６】
例えば、図５に示す例では、利用者ＩＤ「利用者＃１」、物品ＩＤ「物品＃Ｄ」および物品情報「物品情報＃Ｄ」が対応付けられた物品情報が登録されている。このような物品情報は、利用者ＩＤ「利用者＃１」が示す利用者が、物品ＩＤ「物品＃Ｄ」が付与された物品を所望しており、その物品の物品情報が物品情報「物品情報＃Ｄ」である旨を示す。
【００７７】
広告データベース１２３は、利用者に対して提供される情報として、広告に関する情報が登録されている。例えば、広告データベース１２３には、利用者に対して配信される広告と、広告の配信先として予め設定される利用者の属性等が対応付けて登録されている。
【００７８】
図３に戻り、説明を続ける。制御部１３０は、例えば、ＣＰＵ、ＭＰＵ、ＡＳＩＣやＦＰＧＡ等によって、情報管理装置１００内部の記憶装置（例えば、記憶部１２０）に記憶されている各種プログラムがＲＡＭを作業領域として実行されることにより実現される。図３に示す例では、制御部１３０は、登録部１３１、受付部１３２、公開部１３３、通知部１３４、更新部１３５、連絡手段提供部１３６、物品情報提供部１３７および選択部１３８を有する。
【００７９】
登録部１３１は、利用者が所持する物品の情報を受付けると、受付けた情報を物品情報データベース１２１に登録する。例えば、登録部１３１は、物品情報として、物品を撮像した画像を端末装置１０から受信する。このような場合、登録部１３１は、画像解析技術やウェブ検索技術等を用いて、画像に含まれる物品の型番や名称等といった各種の情報を収集する。そして、登録部１３１は、画像の送信元となる端末装置１０の利用者を示す利用者ＩＤと取得した物品に付与される物品ＩＤとともに、受信した画像や収集した情報を物品情報として物品情報データベース１２１に登録する。
【００８０】
また、登録部１３１は、利用者が所望する物品の情報を受付けると、受付けた情報を所望物品情報データベース１２２に登録する。例えば、登録部１３１は、利用者が所望する物品の画像を端末装置１０から受信すると、物品に関する各種の情報を収集し、収集した情報を物品情報として、利用者ＩＤと物品ＩＤとともに所望物品データベース１２２に登録する。
【００８１】
受付部１３２は、物品情報データベース１２１に登録された情報のうち、他の利用者から興味を有する旨の通知を受付け可能とする物品の指定を利用者から受付ける。例えば、受付部１３２は、端末装置１０からの要求に応じて、物品情報データベース１２１に登録された物品情報のうち、端末装置１０を使用する利用者の利用者ＩＤと対応付けられた物品情報を端末装置１０へと配信する。
【００８２】
また、受付部１３２は、端末装置１０から物品情報のステータスを「公開」にする旨の通知、「出品」にする旨の通知、または「当事者売買」にする旨の通知を受付ける。このような場合、受付部１３２は、物品情報データベース１２１に登録された物品情報のうち
ステータス変更の対象となる物品情報を特定し、特定した物品のステータスを、通知されたステータスへと変更する。
【００８３】
公開部１３３は、リクエスト受付可能な物品として指定された物品の情報を、他の利用者に対して公開する。また、公開部１３３は、利用者からリクエストを受付けた物品の販売が許可された場合、すなわち、ステータスが「公開」から「当事者売買」に更新された場合には、その物品の物品情報を、販売可能な物品の情報として公開する。また、公開部１３３は、物品情報が公開された物品がオークションに出品された場合は、すなわち、ステータスが「公開」から「出品」に更新された場合は、その物品の物品情報を、オークションに出品された物品の情報として公開する。
【００８４】
例えば、公開部１３３は、第２利用者Ｕ０２が使用する端末装置１０ｂから第１利用者Ｕ０１が所有する物品の物品情報の配信を要求された場合は、物品情報データベース１２１に登録された物品情報のうち、第１利用者Ｕ０１の利用者ＩＤと対応付けられた物品情報であって、ステータスが「未公開」以外の物品情報を特定する。そして、公開部１３３は、特定した物品情報を、ステータスの内容と共に第２利用者Ｕ０２が使用する端末装置１０ａへと配信する。
【００８５】
ここで、公開部１３３は、ステータスが「公開」である物品情報や、ステータスが「当事者売買」である物品情報については、利用者からのリクエストを受付け可能な状態で配信する。一方、公開部１３３は、ステータスが「出品」である物品情報については、リクエストを受付けることができない状態で配信してもよい。なお、公開部１３３は、ステータスが「当事者売買」である場合には、リクエストのみを受付け可能とする一方で、メッセージの送受信等といった連絡を行えない状態で、物品情報を配信してもよい。
【００８６】
通知部１３４は、物品情報が公開された物品に対するリクエストが利用者から受付けられた場合には、その物品に対するリクエストを受付けた旨を利用者に通知する。例えば、通知部１３４は、第２利用者Ｕ０２が第１利用者Ｕ０１が所有する物品へのリクエストを行った場合には、第１利用者Ｕ０１が使用する端末装置１０ａに対し、リクエスト対象となる物品と、リクエストが行われた旨とを通知する。また、通知部１３４は、物品情報データベース１２１に登録された物品情報のうち、リクエストの対象となった物品情報のリクエストの値に「１」を加算する。
【００８７】
また、通知部１３４は、例えば、第１利用者Ｕ０１が所有する物品に対して第２利用者Ｕ０２がリクエストを行った後に、その物品がオークションに出品された場合や、当事者売買の対象となった場合には、リクエスト元となる第２利用者Ｕ０２に対し、リクエストの対象となった物品が出品された旨または当事者売買の対象となった旨を通知する。
【００８８】
更新部１３５は、オークションに出品された物品の売買が成立した場合や、当事者間の売買が成立した場合には、その物品の物品情報を物品情報データベース１２１から削除する。例えば、更新部１３５は、端末装置１０から売買が成立した物品の物品ＩＤと、売買が成立した旨との通知を受付ける。このような場合、更新部１３５は、端末装置１０を使用する利用者の利用者ＩＤと対応付けられた物品情報のうち、通知された物品ＩＤが示す物品の物品情報を物品情報データベース１２１から削除する。
【００８９】
なお、更新部１３５は、物品の販売先となる利用者が特定可能である場合には、通知された物品ＩＤが示す物品の物品情報を、販売先となる利用者が所有する物品の物品情報へと更新してもよい。また、更新部１３５は、物品購入業者等に対して販売された物品の物品情報についても、物品情報データベース１２１から削除してもよい。
【００９０】
連絡手段提供部１３６は、公開された物品に対するリクエストを行った利用者と、その物品を所有する利用者との間の連絡手段を提供する。また、例えば、連絡手段提供部１３６は、ステータスが「当事者売買」である物品、または、ステータスが「公開」から「当事者売買」へと更新された物品を所有する利用者と、その物品に対してリクエストを送信した利用者との間で直接連絡を取り合うことができる連絡手段を提供する。なお、連絡手段提供部１３６は、任意の連絡手段を提供して良い。例えば、連絡手段提供部１３６は、端末装置１０間でメッセージの送受信を行うアプリケーションを提供してもよく、専用の掲示板サービス等を提供してもよい。
【００９１】
また、連絡手段提供部１３６は、当事者売買の対象となった物品の取引を実現するための手段を提供する。例えば、連絡手段提供部１３６は、端末装置１０を介して、販売が許可された物品に対してリクエストを送信した利用者の中から、取引を行う候補となる対象者の選択を、物品の所有者となる利用者から受付けた場合は、物品の所有者となる利用者と選択された対象者との間に、物品の取引手段を提供してもよい。このような取引手段は、例えば、当事者間のみに公開されるクローズドなオークションを提供するアプリケーションや、価格の交渉等に特化したメッセージの送受信を実現するアプリケーションにより実現される。
【００９２】
物品情報提供部１３７は、物品情報データベース１２１に物品情報が登録された物品の価値を示す価値情報を提供する。例えば、物品情報提供部１３７は、同種商品のオークションの落札価格やウェブ検索の結果等に基づいて、物品情報データベース１２１に物品情報が登録された物品の価格を示す価格情報を生成する。そして、物品情報提供部１３７は、生成した価格情報を、物品の所有者となる利用者の端末装置１０へと配信する。
【００９３】
また、物品情報提供部１３７は、利用者が所望する物品の物品情報を受付けた場合には、他の利用者が所有する物品の物品情報のうち、公開されている物品の物品情報とのマッチング結果を提供する。例えば、物品情報提供部１３７は、所望物品データベース１２２から、第２２利用者が所望する物品の物品情報を抽出する。続いて、物品情報提供部１３７は、物品情報データベース１２１に登録された物品情報のうち、第１利用者Ｕ０１が所有する物品の物品情報から、第２利用者Ｕ０２が所望する物品の物品情報と合致する物品情報を検索する。
【００９４】
そして、物品情報提供部１３７は、第１利用者Ｕ０１が所有する物品の物品情報に、第２利用者Ｕ０２が所望する物品の物品情報が含まれる場合には、その物品情報のステータスが「公開」であるか否かを判定し、「公開」である場合には、第１利用者Ｕ０１と第２利用者Ｕ０２とに対し、第２利用者Ｕ０２が所望する物品を第１利用者Ｕ０１が所有している旨を通知する。一方、物品情報提供部１３７は、第２利用者Ｕ０２が所望する物品の物品情報が「未公開」である場合には、第２利用者Ｕ０２が所望する物品を第１利用者Ｕ０１が所有している旨を第１利用者Ｕ０１のみに送信してもよい。
【００９５】
すなわち、物品情報提供部１３７は、物品情報データベース１２１に登録された情報や、物品情報データベース１２１に登録された情報と所望物品データベース１２２に登録された情報とのマッチング結果等に応じて、利用者が所有する物品の出品や当事者間売買を促す情報の生成および配信を行う。
【００９６】
選択部１３８は、物品情報データベース１２１に登録された物品の情報に基づいて、利用者に対して提供される情報を選択する。より具体的には、選択部１３８は、物品情報データベース１２１に登録された物品の情報と、物品の情報のうち公開された物品の情報とに基づいて、利用者に対して提供される情報を選択する。
【００９７】
例えば、選択部１３８は、物品情報データベース１２１から第１利用者Ｕ０１が所有する物品の物品情報を抽出する。続いて、選択部１３８は、抽出した物品情報のうち、ステータスが「公開」である物品情報を特定する。そして、選択部１３８は、第１利用者Ｕ０１が所有する物品の物品情報と、ステータスが「公開」である物品情報とに基づいて、第１利用者Ｕ０１の属性を推定し、推定した属性の利用者へと配信される広告を広告データベース１２３から選択する。その後、選択部１３８は、選択した広告を第１利用者Ｕ０１へと配信する。
【００９８】
〔４．処理の流れの一例〕
次に、図６を用いて、端末装置１０と情報管理装置１００とが実行する処理の流れの一例について説明する。図６は、実施形態に係る処理の流れの一例を示すシーケンス図である。例えば、端末装置１０は、物品情報を物品情報データベース３１に登録し（ステップＳ１）、登録した物品情報のうち、リクエストを受付け可能とする物品の物品情報についての公開を設定する（ステップＳ２）。このような場合、情報管理装置１００は、公開の対象となる物品の物品情報を公開し（ステップＳ３）、物品情報が公開された物品に対するリクエストを受信した場合は（ステップＳ４）、リクエストを受信した旨を端末装置１０に通知する。
【００９９】
この結果、端末装置１０は、リクエストを受信した旨の通知を利用者に提供することで、物品情報が公開された物品の評価を利用者に確認させることができる（ステップＳ５）。そして、端末装置１０は、利用者の指示に応じて、物品情報が公開された物品の当事者売買またはオークションへの出品を行う。例えば、情報管理装置１００は、物品の当事者売買を行った場合は（ステップＳ６）、リクエスト元ユーザに通知を行い（ステップＳ７）、当事者間での連絡により、物品の売買を実現する。一方、情報管理装置１００は、物品がオークションに出品された場合は（ステップＳ８）、図示を省略したオークションサーバ等と連携して、物品をオークションに出品する（ステップＳ９）。そして、情報管理装置１００は、出品された物品が落札された場合は（ステップＳ１０）、端末装置１０に落札された旨を通知するとともに、端末装置１０を使用する利用者が所有する物品から落札された物品の物品情報を削除し（ステップＳ１１）、処理を終了する。
【０１００】
〔５．情報管理装置１００が実行する処理の流れの一例〕
次に、図７〜図１０を用いて、情報管理装置１００が実行する処理の流れの一例について説明する。図７は、実施形態に係る情報管理装置が物品情報を登録する処理の流れの一例を示すフローチャートである。図８は、実施形態に係る情報管理装置が物品情報を公開する処理の流れの一例を示すフローチャートである。図９は、実施形態に係る情報管理装置がリクエストを受信した際に実行する処理の流れの一例を示すフローチャートである。図１０は、物品が出品された際に実施形態に係る情報管理装置が実行する処理の流れの一例を示すフローチャートである。
【０１０１】
まず、図７を用いて、情報管理装置１００が物品情報を登録する処理の流れの一例を説明する。まず、情報管理装置１００は、端末装置１０から物品が撮像された画像等の物品情報を取得したか否かを判定し（ステップＳ１０１）、受信していない場合は（ステップＳ１０１：Ｎｏ）、受信するまで待機する。そして、情報管理装置１００、端末装置１０から物品情報を取得した場合は（ステップＳ１０１：Ｙｅｓ）、取得した物品情報を物品情報データベース１２１に登録し（ステップＳ１０２）、処理を終了する。
【０１０２】
次に、図８を用いて、情報管理装置１００が物品情報を公開する処理の流れの一例を説明する。まず、情報管理装置１００は、物品情報の公開が選択されたかか否かを判定し（ステップＳ２０１）、選択されていない場合は（ステップＳ２０１：Ｎｏ）、公開されるまで待機する。そして、情報管理装置１００、物品情報の公開が選択された場合は、物品情報データベース１２１を更新して物品情報を公開し（ステップＳ２０２）、処理を終了する。
【０１０３】
次に、図９を用いて、情報管理装置１００がリクエストを受信した際に実行する処理の流れの一例を説明する。まず、情報管理装置１００は、リクエストを受信したか否かを判定し（ステップＳ３０１）、受信していない場合は（ステップＳ３０１：Ｎｏ）、受信するまで待機する。そして、情報管理装置１００は、リクエストを受信した場合には（ステップＳ３０１：Ｙｅｓ）、リクエストがあった旨を、リクエストの対象となる物品の所有者である利用者へと通知する（ステップＳ３０２）。また、情報管理装置１００は、リクエストの対象となる物品の所有者である利用者と、リクエスト元となる利用者との間の連絡手段を提供し（ステップＳ３０３）、処理を終了する。
【０１０４】
なお、図９に示す例では、情報管理装置１００は、リクエストがあった際に、利用者間の連絡手段を提供したが、実施形態は、これに限定されるものではない。すなわち、情報管理装置１００は、リクエストがあった物品が当事者売買の対象となった後で、連絡手段の提供を行ってもよい。
【０１０５】
次に、図１０を用いて、物品が出品された際に情報管理装置１００が実行する処理の流れの一例を説明する。まず、情報管理装置１００は、出品指示を受付けたか否かを判定する（ステップＳ４０１）。すなわち、情報管理装置１００は、端末装置１０から、ステータスを「出品」にする旨の通知また、ステータスを「当事者売買」にする旨の通知を受付けたか否かを判定する。そして、情報管理装置１００は、出品指示を受付けていない場合は（ステップＳ４０１：Ｎｏ）、受付けるまで待機する。
【０１０６】
そして、情報管理装置１００は、出品指示を受付けた場合は（ステップＳ４０１：Ｙｅｓ）、選択された出品態様で商品を出品する（ステップＳ４０２）。すなわち、情報管理装置１００は、物品をオークションに出品、または、当事者売買の対象とする。また、情報管理装置１００は、出品された物品に対してリクエストを送信していたリクエスト元の利用者に出品を通知する（ステップＳ４０３）。
【０１０７】
また、情報管理装置１００は、物品が購入されたか否かを判定し（ステップＳ４０４）、購入されていない場合は（ステップＳ４０４：Ｎｏ）、待機する。そして、情報管理装置１００は、物品が購入された場合は（ステップＳ４０４：Ｙｅｓ）、出品者の物品情報を削除し（ステップＳ４０９）、処理を終了する。
【０１０８】
〔６．端末装置１０が表示する画面の一例〕
次に、図１１および図１２を用いて、端末装置１０が表示する画面の一例について説明する。まず、図１１を用いて、端末装置１０の利用者が所有する物品の確認や公開、出品等の設定、リクエストの有無の確認等を行うリスト表示画面の一例、および、リスト表示画面を介して物品の出品等を行う際に表示される出品画面の一例について説明する。
【０１０９】
図１１は、実施形態に係る端末装置が表示するリスト表示画面および出品画面の一例を説明する図である。例えば、端末装置１０は、第１状態に示すように、利用者が所有する物品の物品情報のリストであるリスト表示画面を表示する。リスト表示画面には、利用者が所有する物品ごとに、物品情報、価値情報、リクエストの数、公開ボタン等が配置された情報リストＣ１０〜Ｃ４０が配置される。
【０１１０】
例えば、情報リストＣ１０には、物品ＩＤ「物品＃Ａ」が示す物品の写真Ｃ１１、価値情報Ｃ１２、公開ボタンＣ１３、リクエスト表示Ｃ１４が並べて配置されている。ここで、公開ボタンＣ１３は、対応する物品の物品情報を公開するか否かを選択するためのボタンである。例えば、端末装置１００は、利用者が公開ボタンＣ１３を選択した場合には、対応する物品、すなわち、物品ＩＤ「物品＃Ａ」が示す物品の物品情報を公開させることとなる。また、リクエスト表示Ｃ１４とは、対応する物品に対するリクエストがあったか否か、リクエストを受信した数等を示す情報である。
【０１１１】
一方、情報リストＣ２０には、物品ＩＤ「物品＃Ｂ」が示す物品であって、物品情報がすでに公開されている物品の各種情報が配置される。このように、物品情報がすでに公開されている物品の情報リストＣ２０には、公開ボタンＣ１３に変えて、「手放す」等のテキストが配置された出品ボタンＣ２１が配置される。そして、端末装置１０は、利用者が出品ボタンＣ２１を選択した場合には、第２状態に示すように、物品ＩＤ「物品＃Ｂ」が示す物品の出品態様を選択するための出品画面Ｃ５０を表示する。
【０１１２】
例えば、第２状態に示す例では、端末装置１０は、「オークションに出品」等といったテキストが配置された出品ボタンＣ５１、「出品代行」等といったテキストが配置された代行出品ボタンＣ５２、「買取」等といったテキストが配置された業者買取ボタンＣ５３等を配置した出品画面Ｃ５０を表示する。そして、端末装置１０は、利用者が出品ボタンＣ５１を選択した場合は、物品ＩＤ「物品＃Ｂ」が示す物品をオークションに出品し、利用者が代行出品ボタンＣ５２を選択した場合は、オークションの代行業者を介して、物品ＩＤ「物品＃Ｂ」が示す物品をオークションに出品する。また、端末装置１０は、利用者が業者買取ボタンＣ５３を選択した場合は、物品ＩＤ「物品＃Ｂ」が示す物品を物品買取業者に買い取りさせる。
【０１１３】
次に、図１２を用いて、端末装置１０の利用者が、他の利用者が所有する物品の物品情報を確認したり、リクエストを行ったりするための閲覧画面Ｃ６０の一例を説明する。図１２は、実施形態に係る端末装置が表示する閲覧画面の一例を示す図である。図１２に示すように、端末装置１００は、他の利用者が所有する物品の物品情報Ｃ６１〜Ｃ６３をリスト形式で配置した閲覧画面を表示する。そして、端末装置１００は、各物品情報Ｃ６１〜Ｃ６３とともに並べて配置されたリクエストボタンを利用者が選択した場合には、対応する物品情報が示す物品に対するリクエストを情報管理装置１００へと送信することとなる。
【０１１４】
〔７．変形例〕
上述した実施形態に係る情報管理装置１００は、上記実施形態以外にも種々の異なる形態にて実施されてよい。そこで、以下では、上記の情報管理装置１００の他の実施形態について説明する。
【０１１５】
〔７−１．興味を有する旨の通知〕
上述した情報管理装置１００は、物品の販売を要求するリクエストの受付けを行った。しかしながら、実施形態は、これに限定されるものではない。例えば、情報管理装置１００は、リクエストに変えて、または、リクエストと共に、物品が気に入った旨を示す通知の受付を行ってもよい。また、情報管理装置１００は、物品が気に入った旨を示す通知を受付けた場合は、その旨を物品の所有者となる利用者に通知してもよく、上述した各種の処理を実行してもよい。
【０１１６】
また、情報管理装置１００は、リクエストや興味を有する旨の通知の受信設定を設定可能としてもよい。例えば、情報管理装置１００は、利用者の選択に応じて、物品情報を公開した際に、リクエストや興味を有する旨の通知を他の利用者から受付けない状態で公開してもよい。また、情報管理装置１００は、利用者の選択に応じて、物品を当事者売買の対象としたり、オークションに出品した後で、リクエストや興味を有する旨の通知を受付け可能としてもよい。
【０１１７】
〔７−２．未公開時のマッチングについて〕
上述した例では、情報管理装置１００は、利用者が所望する物品と同種の物品を他の利用者が所持し、かつ、その物品の物品情報が公開されている場合には、マッチング結果を利用者に通知した。しかしながら、実施形態は、これに限定されるものではない。例えば、情報管理装置１００は、利用者が所望する物品と同種の物品を他の利用者が所持しているが、その物品の物品情報が公開されていない場合には、その物品を所有している利用者の数を算出し、算出した数を通知してもよい。
【０１１８】
〔７−３．連絡手段の提供について〕
また、上述した情報管理装置１００は、物品の所有者である利用者と、その物品に対するリクエストを送信した利用者との間の連絡手段を提供した。ここで、情報管理装置１００は、連絡手段の提供タイミングを任意の設定することができる。例えば、情報管理装置１００は、物品に対するリクエストを送信した段階で連絡手段を提供してもよく、物品が当事者売買の対象となった際に連絡手段を提供してもよい。また、情報管理装置１００は、物品の所有者である利用者が連絡手段の提供を受付けない旨の設定を行った場合には、他の利用者がリクエストを送信した場合であっても、連絡手段の提供を行わずともよい。
【０１１９】
〔７−４．公開について〕
なお、上述した情報管理装置１００は、公開対象となる物品情報の指定を物品単位で受付けた。しかしながら、実施形態は、これに限定されるものではない。例えば、情報管理装置１００は、公開対象となる物品情報の指定を、所有者単位で受付けてもよい。例えば、情報管理装置１００は、第１利用者Ｕ０１が所有する物品の物品情報を全て公開するか否かを指定を受付けてもよい。
【０１２０】
〔７−５．出品態様の一例〕
ここで、情報管理装置１００は、利用者から物品の出品を受付けた場合、任意の態様で物品の出品を行ってよい。例えば、図１３は、実施形態に係る情報管理装置が物品の出品を受付ける処理の一例を示すシーケンス図である。なお、図１３に示す例では、情報管理装置１００が、外部のオークションサーバ２００と連携して、物品の出品を受付ける例について記載した。また、図１３に示す端末装置１０および情報管理装置１００が実行する処理は、例えば、上述した情報管理処理を実現するためのアプリケーションを端末装置１０や情報管理装置１００として動作するコンピュータが実行することにより、実現されてよい。
【０１２１】
例えば、端末装置１０は、物品情報の公開を情報管理装置１００に要求する（ステップＳ５０１）。このような場合、情報管理装置１００は、メッセージのやり取りを行うことができる状態で、物品情報を公開する（ステップＳ５０２）。続いて、情報管理装置１００は、他の利用者からお気に入り登録等、物品に興味を有する旨の通知、すなわちリクエストを受付けた場合は（ステップＳ５０３）、端末装置１０にその旨を通知することで、評価の確認を実現する（ステップＳ５０４）。
【０１２２】
ここで、端末装置１０は、リクエストを受付けた後に、物品をどのような態様で出品するかに応じた処理を実行する。例えば、端末装置１０の使用者は、ステップＳ３０５にてリクエストを送信した利用者Ａおよび利用者Ｂとメッセージの送受信を行うことで、利用者Ａのみを出品の対象としたい場合（ステップＳ５０５）、利用者Ａだけにクローズド出品を行う旨の出品要求をオークションサーバ２００に送信する（ステップＳ５０６）。このような場合、オークションサーバ２００は、利用者Ａのみを対象者とする対象者限定オークションを実行する（ステップＳ５０７）。具体的には、オークションサーバ２００は、利用者Ａに物品が出品された旨を通知し（ステップＳ５０８）、他の対象者に物品が販売される旨を利用者Ｂに通知する（ステップＳ５０９）。すなわち、オークションサーバ２０は、利用者Ｂに対しては、取引の対象として選択されず、物品の取引を行うことができない旨を通知する。
【０１２３】
一方、端末装置１０は、全利用者を対象とする通常のオークション出品を行う場合には（ステップＳ５１０）、その旨の出品要求をオークションサーバ２００に送信する（ステップＳ５１１）。この結果、オークションサーバ２００は、通常のオークションを介して、物品の販売を行う。
【０１２４】
なお、情報管理装置１００は、ステップＳ５０５〜Ｓ５０９に示すパターン１の処理、または、ステップＳ５１０〜Ｓ５１１に示すパターン２の処理が終了した場合には、出品の対象となった物品について、メッセージのやり取りを行えない状態にする（ステップＳ５１２）。すなわち、情報管理装置１００は、取引の対象となった物品については、メッセージのやり取りを実現する手段の提供を行わず、お気に入りの登録が可能な状態で物品情報を公開する。
【０１２５】
〔７−６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１２６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２７】
例えば、上述した情報管理処理は、情報管理装置１００のみが単独で実行してもよく、端末装置１０ａ、１０ｂが協調して動作することにより実現されてもよい。このような場合、図３に示した記憶部１２０に記憶された各種のデータベース１２１〜１２３や、制御部１３０が有する機能構成は、端末装置１０に配置されることとなる。
【０１２８】
〔７−７．ハードウェア構成〕
また、上述してきた実施形態に係る情報管理装置１００は、例えば図１４に示すような構成のコンピュータ１０００によって実現される。図１４は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１２９】
演算装置１０３０は、一次記憶装置１０４０や二次記憶装置１０５０に格納されたプログラムや入力装置１０２０から読み出したプログラム等に基づいて動作し、各種の処理を実行する。一時記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１３０】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１３１】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１３２】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１３３】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１３４】
例えば、コンピュータ１０００が情報管理装置１００として機能する場合、コンピュータ１０００の演算装置１０３０は、一次記憶装置１０４０上にロードされたプログラムを実行することにより、制御部１３０の機能を実現する。また、二次記憶装置１０５０上には、記憶部１２０内の情報、すなわち物品情報データベース１２１、所望物品データベース１２２および広告データベース１２３が格納される。
【０１３５】
〔８．効果〕
上述したように、情報管理装置１００は、利用者が所持する物品情報を受付けると、受付けた情報を物品情報データベース１２１に登録し、物品情報データベース１２１に登録された情報を公開するか否かを指定を利用者から受付ける。そして、情報管理装置１００は、公開する旨の指定を受付けた場合は、物品情報データベース１２１に登録された情報を公開する。
【０１３６】
このように、情報管理装置１００は、利用者が所有する物品の管理を行うとともに、利用者から公開する旨の指定を受付けると、、物品情報を他の利用者から興味を有する旨の通知を受付け可能な状態で他の利用者に公開する。この結果、情報管理装置１００は、他の利用者が物品に興味を有しているか否かを利用者に伝えることができるので、利用者が所有する物品を他の利用者に販売する動機づけを与えることができる。
【０１３７】
また、情報管理装置１００は、利用者が所持する物品情報を受付けると、受付けた情報を物品情報データベース１２１に登録し、物品情報データベース１２１に登録された情報のうち、他の利用者から興味を有する旨の通知を受付け可能とする物品の指定を利用者から受付ける。そして、情報管理装置１００は、利用者により指定された物品情報を、他の利用者に対して公開する。このため、情報管理装置１００は、物品単位で公開する物品の指定を受付けることができる。
【０１３８】
また、情報管理装置１００は、物品情報が公開された物品に対し、興味を有する旨の通知を他の利用者から受付けられた場合には、その物品に対して興味を有する旨の通知を受付けた旨を利用者に通知する。この結果、情報管理装置１００は、利用者が所有する物品を他の利用者に販売する動機づけを与えることができる。
【０１３９】
また、情報管理装置１００は、他の利用者から興味を有する旨の通知を受付けた物品の販売を利用者が許可した場合には、その物品情報を、販売可能な物品の物品情報として公開する。このため、情報管理装置１００は、利用者が所有する物品について、当事者間で直接取引することが可能な物品であるか否かを他の利用者に通知することができる。
【０１４０】
また、情報管理装置１００は、利用者間の連絡手段を提供する。例えば、情報管理装置１００は、販売が許可された物品に対してリクエストを送信した利用者の中から、取引を行う候補となる対象者の選択を、物品の所有者となる利用者から受付ける。そして、情報管理装置１００は、物品の所有者となる利用者と選択された対象者との間に、物品の取引手段を提供する。このため、情報管理装置１００は、利用者が所有する物品について、当事者間での直接取引を実現することができる。
【０１４１】
また、情報管理装置１００は、興味を有する旨の通知として、物品の販売を要求する販売要求、すなわち、リクエストを受付け可能とする物品の指定を受付ける。このため、情報管理装置１００は、利用者が所有する物品の販売の要求を受付けることができるので、利用者が所有する物品の販売をより強く動機付けることができる。
【０１４２】
また、情報管理装置１００は、物品情報が公開された物品がオークションや当事者売買の対象とされた場合には、その物品情報を、取引の対象とされた物品の物品情報として、他の利用者とメッセージのやり取りを行うことができない状態で公開する。このため、情報管理装置１００は、利用者が所有する物品について、取引可能な物品であるか否かを他の利用者に通知するとともに、オークションに出品された物品に入札が行われているにも関わらず、当事者間の直接販売で購入されてしまうといった態様を防ぐことができる。
【０１４３】
また、情報管理装置１００は、物品情報データベース１２１に物品情報が登録された物品の売買が成立した場合には、その物品情報を物品情報データベース１２１から削除する。このため、情報管理装置１００は、各利用者が所有する物品の物品情報を適切に管理することができる。
【０１４４】
また、情報管理装置１００は、物品情報データベース１２１に物品情報が登録された物品の価値を示す情報、すなわち価値情報を利用者に提供する。このため、情報管理装置１００は、利用者が所有する物品の市場価格や、出品した際にどれくらいの価格で売れるかといった情報、すなわち、物品を販売する際の指標を提示することができるので、利用者が所有する物品の販売をより強く動機付けることができる。
【０１４５】
また、情報管理装置１００は、利用者が所望する物品の物品情報を受付けた場合には、他の利用者が所有する物品の物品情報のうち、公開されている物品情報とのマッチング結果を提供する。このため、情報管理装置１００は、利用者に対し、その利用者が所望している物品を誰かが所有しているか否か、販売されているか否か等といった情報を提供することができる。この結果、情報管理装置１００は、物品の販売を要求するリクエストの送信機会を増加させることができる。
【０１４６】
また、情報管理装置１００は、物品情報データベース１２１に登録された物品情報に基づいて、利用者に対して提供される情報を選択する。例えば、情報管理装置１００は、物品情報データベース１２１に登録された物品情報と、その物品情報のうち公開されている物品情報とに基づいて、利用者に対して提供される情報を選択する。このため、情報管理装置１００は、利用者に対して提供される情報のマッチング精度を向上させることができる。
【０１４７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４８】
また、上記してきた「部（section、module、unit）」は、「手段」や「回路」などに読み替えることができる。例えば、制御部は、制御手段や制御回路に読み替えることができる。
【符号の説明】
【０１４９】
１０  端末装置
１１、１１０  通信部
１２、１２０  記憶部
１３  カメラ
１４  ＧＰＳアンテナ
１５  出力部
１６、１３０  制御部
１７  登録受付部
１８  選択受付部
１９  通知受付部
２０  連絡部
２１  更新受付部
２２  情報受付部
１００  情報管理装置
１２１  物品情報データベース
１２２  所望物品データベース
１２３  広告データベース
１３１  登録部
１３２  受付部
１３３  公開部
１３４  通知部
１３５  更新部
１４６  連絡手段提供部
１３７  物品情報提供部
１３８  選択部
【図１】
2018125027.tif 000003
【図２】
2018125027.tif 000004
【図３】
2018125027.tif 000005
【図４】
2018125027.tif 000006
【図５】
2018125027.tif 000007
【図６】
2018125027.tif 000008
【図７】
2018125027.tif 000009
【図８】
2018125027.tif 000010
【図９】
2018125027.tif 000011
【図１０】
2018125027.tif 000012
【図１１】
2018125027.tif 000013
【図１２】
2018125027.tif 000014
【図１３】
2018125027.tif 000015
【図１４】
2018125027.tif 000016